(57)【要約】【課題】  従来、遊技機用表示装置は遊技台のプレイデータ表示、状態表示のみだった。また、遊技場内、外の混雑状況、犯罪などで、遊技客は警戒心が増え、たびたび離席し目視確認を行うなど、安心かつ集中して遊技台を楽しめなかった。【解決手段】  個人用監視システムは、店内、店外の任意の位置に設置された監視カメラと、上記監視カメラが撮影したいずれかの映像を表示する表示装置と、上記監視カメラで撮影した映像を管理する監視総合管理装置とを備え、上記監視総合管理装置は、上記監視カメラの映像を、複数の表示装置へ要求時に配信、保存する構成とした。【選択図】      図１
2005095224.tif 000002
【特許請求の範囲】
【請求項１】
各顧客が個人的に監視カメラの映像を確認できるシステムにおいて、店内、店外の任意の位置に設置された監視カメラと、上記監視カメラが撮影したいずれかの映像を表示する表示装置を遊技台の周辺の位置に備えたことを特徴とする個人用監視システム。
【請求項２】
各顧客が個人的に監視カメラの映像を確認できるシステムにおいて、店内、店外の任意の位置に設置された監視カメラと、上記監視カメラが撮影したいずれかの映像を表示する表示装置と、上記監視カメラで撮影した映像を管理する監視総合管理装置とを備え、上記監視総合管理装置は、上記監視カメラの映像を、複数の表示装置へ要求時に配信、保存する構成としたことを特徴とする個人用監視システム。
【請求項３】
上記表示装置は、監視カメラの映像を表示する表示部と、表示部の選択肢を操作する操作キーと、選択を決定する決定ボタンと、選択を取り消すキャンセルボタンとを備え、任意の位置に設置された監視カメラの映像を、上記操作キーで選択することにより、その場所を動くことなく、1つの表示装置で様々な場所を確認できる、請求項１乃至請求項２記載の個人用監視システム。       
【発明の詳細な説明】
【技術分野】
【０００１】
本発明は、施設等において、顧客が離席せずに監視カメラの映像を表示装置で確認できるシステムに関する。
【背景技術】
【０００２】
従来、例えば遊技場（パチンコ、パチスロ店）の遊技台周辺に配置される液晶表示装置を含んだ遊技機用表示装置は、プレイデータ表示、現状遊技状態表示、といった、遊技台の情報のみ表示だけだった。        
【特許文献１】特開平９−２２０３５１
【０００３】
また、遊技場の店内、店外では遊技台での不正防止、防犯のため、遊技場のいたるところ（遊技台監視、計数機前、景品カウンター、駐車場、駐輪場など）に監視カメラを設置しており、遊技場監視員、オーナーのみが常時監視を行っているが、常時監視カメラで監視を行っていても、また、防犯のため警備員を配置しても、車上荒らし、車中にて子供の置き去り、託児所からの連れ去り等、犯罪は増加の傾向を辿っていた。  
【０００４】
遊技客は上記犯罪が多発することにより、警戒心が増え、たびたび離席し目視確認を行う、防犯用道具を所持するなどして、安心かつ集中して遊技できなかった。また、閉店時での計数機、景品カウンターでの混雑模様、店外の天候、遊技場内での混雑状況など、気になるときも離席し状況の確認を行うなど落ち着いて遊べなかった。
【発明の開示】
【発明が解決しようとする課題】
【０００５】
しかしながら、遊技場関係者は遊技台での不正行為には敏感であり、監視カメラにて遊技台、遊技客の動向など遊技場内を細かく監視するが、駐車場での犯罪行為などは広すぎるため、あまり監視の目が行き届いてない。また、犯罪行為が続くことで、客の警戒心が増え、何度も離席し確認を行うため、落ち着いて遊ぶことができず、長い時間遊ぶ客が減り、遊技場の収益に影響を及ぼすことがあった。本発明の目的は、上記従来の問題点に鑑み、遊技客が安心して遊べるよう、離席せず店内、店外の様子を確認できるシステムを提供する。
【課題を解決するための手段】
【０００６】
本発明の個人用監視システムは、店内、店外の任意の位置に設置された監視カメラと、上記監視カメラが撮影したいずれかの映像を表示する表示装置を遊技台の周辺の位置に備えたことによって達成される。  
【０００７】
また、本発明の個人用監視システムは、店内、店外の任意の位置に設置された監視カメラと、上記監視カメラが撮影したいずれかの映像を表示する表示装置と、上記監視カメラで撮影した映像を管理する監視総合管理装置とを備え、上記監視総合管理装置は、上記監視カメラの映像を、複数の表示装置へ要求時に配信、保存する構成としたことによって達成される。
【０００８】
上記システムにおいて、上記表示装置は、監視カメラの映像を表示する表示部と、表示部の選択肢を操作する操作キーと、選択を決定する決定ボタンと、選択を取り消すキャンセルボタンとを備え、任意の位置に設置された監視カメラの映像を、上記操作キーで選択することにより、その場所を動くことなく、1つの表示装置で様々な場所を確認できることにより達成される。
【発明の効果】
【０００９】
本発明によれば、遊技客は離席せずに表示装置によって店内、店外の様子を確認することができるので、安心して遊ぶことができる。また、遊技客が様々な箇所の映像を確認できるので遊技場従業員や警備員の見落としもなくなり、遊技場での犯罪減少に繋がる。
【実施例１】
【００１０】
図１は、本発明の個人用監視システムの全体構成を示す図である。個人用監視システム（以下、監視システムという）は遊技場店内、店外の至る所（たとえば、駐車場、駐輪場、遊技場店内、計数機前、景品カウンターなど）に設置されている監視カメラ２の映像をデータ送信経路６にて監視総合管理装置３（以下、管理装置３という）に送信する。表示装置１の選択を管理装置３にて受信を行い、選ばれた映像を管理装置３から表示装置１へデータ送受信経路７により送信を行う。監視カメラ２は本システム専用のカメラを設置しても、従来店内、店外に設置してある監視カメラを利用しても構わないとする。管理装置３での管理モニター５は各遊技台周辺に設置された表示装置１の利用状況（どの表示装置１がどこの監視カメラ２の映像を見ているかなど）を確認できる。また、管理装置３内部の記憶媒体によって、監視カメラ２の映像を遊技客からの映像保存信号により保存が可能である。さらに、表示装置１の選択により保存された映像は遊技場関係者が管理モニター５にて確認することができる。  データ送信経路６では、監視カメラ２の映像を送信する経路であり、データ送受信経路７では、表示装置１の選択を受信する経路、監視カメラ２の映像を表示装置１へ送信する経路、表示装置１から管理装置３への緊急信号、映像保存信号の受信などを行う経路である。  
【００１１】
図２は各遊技台に設置される表示装置１の外観斜視図であり、図３は正面を表す図である。表示装置１の表示部本体１１は長方形形状の筺体で形成しており、表示部１２（たとえば液晶、プラズマなど）、後述する各操作ボタンが搭載されている。表示部本体１１は、遊技島に取り付けるための取付部と、表示装置本体１１を支持する支持部とで構成され、支持部と取付部の嵌合によって表示部本体１１を上下左右と首振りが可能であり、遊技客は観覧しやすい位置に表示部１２を向けることができる。表示部本体１１には、監視カメラ２の映像を映し出す表示部１２、画面上の操作を行う操作キー１３、選択を決定する決定ボタン１４、選択を取り消すキャンセルボタン１５、各仕様に選択を行う選択キー（モニタースイッチ１６、テレビスイッチ１７）、緊急時店員に知らせる呼び出しボタン１８が搭載されている。図２、図３では監視カメラ２の映像を確認するとは別に、テレビ機能を付けたものとなっているが、表示装置１につける機能はテレビに限定はしない。（たとえば店内コマーシャル、遊技台情報及び、遊技方法など）  
【００１２】
図４は、表示装置１を設置した遊技島２１ａを示す図である。表示装置１は各遊技台に設置され、遊技台周辺のうち、上位部に取付けられてあり、遊技客は遊技台を楽しみながら、離席せず、容易に確認、操作することができる。また、遊技に邪魔にならない位置であればどこでも設置可能であり、設置場所は遊技台周辺のうち、上位部に限らない。  
【００１３】
図５は遊技場店内、店外の監視カメラ２、表示装置１、管理装置３の大略配置構成図である。図中のように遊技店内、店外には遊技島（パチンコ島）２１ｂ、遊技島（スロット島）２１ａ、駐車場３１、駐輪場３２、託児所３３、景品カウンター３４、事務所３５、計数機３５などの施設、設備があり、店内、店外に監視カメラ２が上記施設、設備を監視するために配置されており、表示装置１は各遊技台に設置されている。通常、表示装置１はテレビ、店内コマーシャル、遊技台情報などを表示し遊技客に楽しんでもらう。遊技客は遊技中、駐車場に駐車した車や託児所に預けている子供が心配になった時、表示装置１のモニターボタン１６を押す。押した際、図６のような選択画面に変わり、操作キー１３を使用し確認したい場所を選び、決定ボタン１４を押す。表示装置１より映像要求信号を受けた管理装置３は表示装置１より選択された監視カメラ２の映像を表示装置１へ送信する。すると、図７（駐車場）、図８（駐輪場）、図９（計数機前）のように表示部１２に表示され、遊技客は離席せず確認することができる。  たとえば、駐車場、駐輪場に止めた自分の車、自転車、バイクが悪戯されていないか心配なときは「駐車場」、「駐輪場」を選ぶ。託児所に預けている子供の様子を見たいときは「託児所」を選ぶ。閉店時に計数機や景品カウンターが混雑しているか確認するときは「計数機前」や「景品カウンター」を選ぶ。店内にて、台移動する際、他の遊技台は空いているか、また、店内の混雑状況などを確認するには「店内」を選ぶ。外で雨や雪が降っているかどうかを確認するには「店外」を選ぶ、などが例に上げられる。また、上記以外の箇所も監視カメラが設置してあれば可能である。表示装置に表示する映像の形式は監視カメラ２で撮影されている状況がわかる範囲であれば限定しない（たとえば、動画、静止画、静止画によるコマ送り映像など）。
【００１４】
表示装置に表示される映像を任意でズーム、移動できてもよい。図１０に示す様に、表示装置１に監視カメラ２の制御権を与えるコントロールスイッチ４１を設け、それを押すことにより一定の時間、カメラの映像を任意に動かす事ができる。映像のズーム、移動は図１０に示す通り、決定ボタン１４、キャンセルボタン１５をそれぞれ代用すればよい。現在制御中であること、後どのくらいの間制御できるか（図１０中「制御中  残り３６秒」）を表示部１２にて遊戯客に示す。一定の時間終了後、監視カメラ２は初期映像の位置に戻るよう設定する。  
【００１５】
自分の車が悪戯されていたり、子供が車中に置き去りにされていたり、などの緊急時を表示部１２に映し出された映像で確認した場合、呼び出しボタン１８を押す。押すことにより、島端のランプや呼び出しランプなど遊技台周辺設備、店員が装着しているイヤホンなど、光や音などで店員に緊急連絡を行い、未然に犯罪を防止できる。また、図１１に示すように「録画」、「キャンセル」という選択肢が画面上に現れ、「録画」を操作キー１３で選択することにより、映像保存信号が管理装置３に送信され、管理装置３に内蔵されてある記憶媒体に映像を保存する。「録画」選択により保存されたデータは、オーナーや監視員が監視モニター５で確認可能であり、また、削除することができ、さらに、管理装置本体４からあらゆる記憶媒体（たとえば、ＣＤ−ＲＯＭ、ＤＶＤ−ＲＯＭ、小型記憶媒体など）にも移行可能であり、犯罪を行っている映像を録画した場合、警察への証拠として提出できる。また、保存する形式は動画、静止画どちらでも構わない。  
【００１６】
上記記載では表示装置１を用いて映像を遊技客に表示する方法としたが、表示部１２を搭載している遊技台（たとえば図１１  パチンコ台５１、図１２  スロット台２２など）や周辺設備（たとえば図１３  呼び出しランプ５２、図１４  遊技媒体貸出機５３、など）であれば、搭載されている表示部１２にて映像を表示してもよい。  
【００１７】
表示装置１は支持部、取付部によって構成されると記載したが、表示部本体１１のみで直接遊技島に取付けを行えてもよい。また、記憶媒体を搭載した表示装置１であれば、管理装置３を介さず、直接監視カメラ２と連動しても構わない。また、監視カメラ２、管理装置３、表示装置１の情報のやり取りは有線、無線どちらでもよい。
【００１８】
本監視システムの表示装置には各種操作をボタンで行うものとするが、ボタンを除き、表示部のみとし、タッチパネルで操作してもよい。また、上記記載した遊技台、及び遊技機周辺機器にも同様の操作にしてもよい。
【００１９】
各顧客が個人的に監視カメラの映像を確認できるシステムにおいて、上記システムは、遊技場（パチンコ、スロット店）だけでなく、他の施設での実施例として、アミューズメントパークなどの施設や、カラオケ店などの駐車場を完備している施設の防犯、または各施設の混雑状況の確認などにも摘要できる。たとえば、本システムの表示装置を図１６に示す置型タイプ５４であれば、カラオケ店の各個室、飲食店での各テーブルに設置が可能であり、また、様々な箇所に図１７に示す代表設置型タイプ５５であれば、百貨店、アミューズメントパーク等の施設に設置が可能である。
【図面の簡単な説明】
【００２０】
【図１】遊技客個人用監視システムの全体構成を示す図である。
【図２】表示装置の外観斜視図を示す図である。
【図３】表示装置の正面を示す図である。
【図４】表示装置を設置した遊技島を示す図である。
【図５】遊技場店内、店外における大略配置構成図である。
【図６】選択画面を表示する表示画面図である。
【図７】駐車場を表示する表示画面図である。
【図８】駐輪場を表示する表示画面図である。
【図９】計数機前を表示する表示画面図である。
【図１０】監視カメラ制御中を表示する表示装置である。
【図１１】録画選択を表示する表示画面図である。
【図１２】表示部を搭載したパチンコ台の正面を示す図である。
【図１３】表示部を搭載したスロット台の正面を示す図である。
【図１４】表示部を搭載した呼び出しランプの正面を示す図である。
【図１５】表示部を搭載した遊技媒体貸出機の正面を示す図である。
【図１６】他の実施形態を示す表示装置の外観斜視図を示す図である。
【図１７】他の実施形態を示す表示装置の外観斜視図を示す図である。
【符号の説明】
【００２１】
１        表示装置  ２        監視カメラ２ａ      駐車場用監視カメラ２ｂ      駐輪場用監視カメラ２ｃ      託児所用監視カメラ２ｄ      計数機前監視カメラ２ｅ      景品カウンター用監視カメラ２ｆ      店内用監視カメラ  ３        監視総合管理装置  ４        管理装置本体  ５        管理モニター  ６        データ送信経路  ７        データ送受信経路１１      表示部本体１２      表示部１３      操作キー１４      決定ボタン１５      キャンセルボタン１６      モニタースイッチ１７      テレビスイッチ１８      呼び出しボタン２１ａ    遊技島（スロット島）２１ｂ    遊技島（パチンコ島）  ２２      スロット台２３      呼び出しランプ３１      駐車場３２      駐輪場３３      託児所３４      景品カウンター３５      事務所３６      計数機４１      コントロールスイッチ５１      パチンコ台５２      表示部内蔵型呼び出しランプ５３      表示部内蔵型遊技媒体貸出機５４      表示装置（置型タイプ）５５      表示装置（代表設置型タイプ）
【図１】
2005095224.tif 000003
【図２】
2005095224.tif 000004
【図３】
2005095224.tif 000005
【図４】
2005095224.tif 000006
【図５】
2005095224.tif 000007
【図６】
2005095224.tif 000008
【図７】
2005095224.tif 000009
【図８】
2005095224.tif 000010
【図９】
2005095224.tif 000011
【図１０】
2005095224.tif 000012
【図１１】
2005095224.tif 000013
【図１２】
2005095224.tif 000014
【図１３】
2005095224.tif 000015
【図１４】
2005095224.tif 000016
【図１５】
2005095224.tif 000017
【図１６】
2005095224.tif 000018
【図１７】
2005095224.tif 000019